(57)【要約】      （修正有）【課題】構造の簡素化、生産効率の向上、コストの削減を図ることができるアジャストボルトを提供する。【解決手段】設置面に設置され、かつ貫通孔５３が形成されたドーム状部５２を有する受座５と、ドーム状部５２の貫通孔５３に貫通配置された状態で軸心回りに回動自在にかつ傾動自在に配置されるボルト軸２と、ボルト軸２におけるドーム状部５２の上側に固定され、かつドーム状部５２の外周面に係止するフランジ３と、ドーム状部５２内におけるボルト軸２の下端に固定された抜け止め部材とを備えたアジャストボルトを対象とする。抜け止め部材は、上壁６２に取付孔が形成され、かつ下端が開口された円筒状のカラー部材６によって構成され、カラー部材６の取付孔にボルト軸２の下端が挿通配置された状態でカシメ加工によって固定されている。【選択図】図１
0003199636.tif 000002
【実用新案登録請求の範囲】
【請求項１】
設置面に設置され、かつ貫通孔が形成されたドーム状部を有する受座と、前記ドーム状部の貫通孔に貫通配置された状態で軸心回りに回動自在にかつ傾動自在に配置されるボルト軸と、前記ボルト軸における前記ドーム状部の上側に固定され、かつ前記ドーム状部の外周面に係止するフランジと、前記ドーム状部内における前記ボルト軸の下端に固定された抜け止め部材とを備えたアジャストボルトであって、
前記抜け止め部材は、上壁に取付孔が形成され、かつ下端が開口された円筒状のカラー部材によって構成され、
前記カラー部材の取付孔に前記ボルト軸の下端が挿通配置された状態でカシメ加工によって固定されていることを特徴とするアジャストボルト。
【請求項２】
前記ボルト軸の下端外周面における前記カラー部材の固定部は、ねじ溝が形成されない無ねじ部に形成されている請求項１に記載のアジャストボルト。
【請求項３】
前記フランジの下面は、上方に凹んだ断面円弧状の湾曲面によって構成されている請求項１または２に記載のアジャストボルト。
【請求項４】
前記カラー部材における上壁の外周部に面取り部が形成されている請求項１〜３のいずれか１項に記載のアジャストボルト。
【請求項５】
前記ボルト軸に前記フランジが一体に形成されている請求項１〜４のいずれか１項に記載のアジャストボルト。
【考案の詳細な説明】
【技術分野】
【０００１】
この発明は、自動販売機、工作機器、ＯＡ機器等の設置物を床面等の設置面に支持する際に用いられるアジャストボルトに関する。
【背景技術】
【０００２】
自動販売機、工作機器、ＯＡ機器等の設置物をコンクリート床面や木製床面等の設置面に設置する場合、設置物の底部の四隅等にアジャストボルト（脚ボルト）を取り付けて、各アジャストボルトの高さを適宜調整することにより、設置物の水平レベル等を調整するのが一般的である。
【０００３】
このようなアジャストボルトは、設置面に設置される受座と、その受座に軸心回りに回転自在に貫通配置されたボルト軸と、ボルト軸の下端に固定された抜け止め部材とを備え、ボルト軸に螺合されたナットを介して設置物が支持されている。そしてアジャストボルトのボルト軸を回転操作することによって、ナットをボルト軸に沿って昇降させることにより設置物の各隅部の高さを適宜調整するようにしている。
【０００４】
一方近年になって、下記特許文献１，２に示すように設置面に勾配がある場合でも、設置物を安定して支持固定できるアジャストボルトが提案されている。このアジャストボルトは、受座に対してボルト軸が傾動自在に取り付けられており、設置面の勾配に対応して傾斜する受座に対しボルト軸を傾動させて、そのボルト軸を重力方向を基準に垂直に配置することによって、設置物を安定状態に支持できるようにしている。
【先行技術文献】
【特許文献】
【０００５】
【特許文献１】実用新案登録第３００１７５７号
【特許文献２】特開平１０−１２２４７９号公報
【考案の概要】
【考案が解決しようとする課題】
【０００６】
しかしながら、上記特許文献１に示すアジャストボルトにおいては、ボルト軸の下面に取付孔が形成される一方、抜け止め部材に上方突出状に取付軸が固定されており、その取付軸を受座の下面側から受座に通してボルト軸の上記取付孔に圧入することによってボルト軸の下端に抜け止め部材を取り付けるようにしている。このようにボルト軸の下端面に取付孔を形成したり、抜け止め部材に取付軸を圧入して取り付ける等、構造が複雑であり、コストも増大するという課題があった。
【０００７】
また上記特許文献２に示すアジャストボルトにおいては、ボルト軸の下端面に抜け止め部材として球体を固定するものであるが、棒状のボルト軸の端面に球体を溶接等で固定したり、球体付きのボルト軸を一体成形によって製作したりすることは非常に困難な作業であり、簡単に製造することができず生産効率の低下を来たし、コストも増大するという課題があった。
【０００８】
この考案は、上記の課題に鑑みてなされたものであり、構造の簡素化を図ることができるとともに、簡単かつ効率良く製造できてコストも削減することができるアジャストボルトを提供することを目的とする。
【課題を解決するための手段】
【０００９】
上記課題を解決するため、本考案は、以下の手段を備えるものである。
【００１０】
［１］設置面に設置され、かつ貫通孔が形成されたドーム状部を有する受座と、前記ドーム状部の貫通孔に貫通配置された状態で軸心回りに回動自在にかつ傾動自在に配置されるボルト軸と、前記ボルト軸における前記ドーム状部の上側に固定され、かつ前記ドーム状部の外周面に係止するフランジと、前記ドーム状部内における前記ボルト軸の下端に固定された抜け止め部材とを備えたアジャストボルトであって、
前記抜け止め部材は、上壁に取付孔が形成され、かつ下端が開口された円筒状のカラー部材によって構成され、
前記カラー部材の取付孔に前記ボルト軸の下端が挿通配置された状態でカシメ加工によって固定されていることを特徴とするアジャストボルト。
【００１１】
［２］前記ボルト軸の下端外周面における前記カラー部材の固定部は、ねじ溝が形成されない無ねじ部に形成されている前項１に記載のアジャストボルト。
【００１２】
［３］前記フランジの下面は、上方に凹んだ断面円弧状の湾曲面によって構成されている前項１または２に記載のアジャストボルト。
【００１３】
［４］前記カラー部材における上壁の外周部に面取り部が形成されている前項１〜３のいずれか１項に記載のアジャストボルト。
【００１４】
［５］前記ボルト軸に前記フランジが一体に形成されている前項１〜４のいずれか１項に記載のアジャストボルト。
【考案の効果】
【００１５】
考案［１］のアジャストボルトによれば、抜け止め部材を、上壁に取付孔が形成された略逆カップ状のカラー部材によって構成し、そのカラー部材の取付孔にボルト軸を挿通してカシメ加工により固定するようにしているため、構造が簡素化であるとともに、カシメ加工だけで簡単に固定することができる。従って製作作業を効率良く容易に行えるとともに、コストも削減することができる。
【００１６】
考案［２］のアジャストボルトによれば、ボルト軸におけるカラー部材の固定部にねじ溝が形成されていないため、カラー部材を雄ねじ軸に十分な取付強度で固定することができる。
【００１７】
考案［３］のアジャストボルトによれば、フランジの下面を断面円弧状の湾曲面によって構成しているため、フランジをドーム状部の外周面に点接触よりも広い範囲で接触させることができ、フランジを介してボルト軸を受座のドーム状部にバランス良く安定した状態で支持することができる。このため例えばボルト軸の回転操作をスムーズに行うことができ、高さ調整作業をスムーズに行うことができる。
【００１８】
考案［４］のアジャストボルトによれば、カラー部材における上壁の外周縁部に面取り部を形成しているため、ボルト軸を受座に対し大きく傾斜させた状態であっても、カラー部材の上壁外周部がドーム状部の内周面に干渉するのを防止することができる。従ってボルト軸の傾斜角度を十分に確保できて、勾配の大きい設置面に対しても確実に対応することができる。
【００１９】
考案［５］のアジャストボルトによれば、ボルト軸にフランジが予め一体に形成されたシルクボルト等を採用しているため、ボルト軸にフランジを固定するような固定作業を省略できその分、製作作業を簡単に行うことができる。
【図面の簡単な説明】
【００２０】
【図１】図１はこの考案の実施形態であるアジャストボルトを示す要部切欠正面図である。
【図２】図２は実施形態のアジャストボルトにおいてボルト軸が傾斜した状態で示す要部切欠正面図である。
【図３】図３は実施形態のアジャストボルトに適用された受座を示す図であって、図（ａ）は正面断面図、図（ｂ）は平面図である。
【図４】図４は実施形態のアジャストボルトに適用されたフランジ付きボルトを示す図であって、図（ａ）は要部切欠正面図、図（ｂ）は平面図である。
【図５】図５は実施形態のアジャストボルトに適用されたカラー部材を示す図であって、図（ａ）は要部切欠正面図、図（ｂ）は平面図である。
【図６Ａ】図６Ａはこの考案の変形例であるアジャストボルトを示す正面図である。
【図６Ｂ】図６Ｂは変形例のアジャストボルトを示す平面図である。
【考案を実施するための形態】
【００２１】
図１および図２はこの考案の実施形態であるアジャストボルトを示す要部切欠正面図である。両図に示すようにこのアジャストボルトは、コンクリート床面や木製床面等の設置面に設置される受座５と、受座５に取り付けられるシルクボルト等のフランジ付きボルト１と、フランジ付きボルト１に固定される抜け止め部材としてのカラー部材６とを備えている。
【００２２】
図１〜図３に示すように受座５は、球面の一部に沿うように形成された断面アーチ状で逆お椀型（ドーム型）のドーム状部５２と、ドーム状部５２の外周縁部に一体に形成された平坦なリング状の平坦接地部５１とを備え、ドーム状部５２の頂部には平面視円形の貫通孔５３が形成されている。
【００２３】
図１、図２および図４に示すようにフランジ付きボルト１は、シルクボルトによって構成されており、ボルト軸２と、ボルト軸２の下側外周に外方に突出するようにして一体に形成された六角柱形状のフランジ（つば部材）３とを一体に備えている。
【００２４】
本実施形態においてボルト軸２におけるフランジ３よりも上側は雄ねじ軸２１と称し、フランジ３よりも下側はヘッド２２と称することとする。なおフランジ付きボルト１は、単に六角ボルトと称する場合もある。
【００２５】
ヘッド２２の外径は受座５における貫通孔５３の内径よりも小さく形成されて、ヘッド２２が上記受座５の貫通孔５３に遊嵌状態に挿通可能に構成されている。さらにフランジ３の外径は受座５の貫通孔５３の内径よりも大きく形成されて、フランジ３が貫通孔５３を挿通できないように構成されている。
【００２６】
また本実施形態において、ボルト軸２の雄ねじ軸２１の外周面にはねじ溝が切り込まれて雄ねじが形成される一方、ヘッド２２の外周面はねじ溝がなく無ねじ部として形成されている。
【００２７】
またフランジ３の下面（裏面）の全周は、上側に凹む断面円弧状の凹球湾曲面（Ｒ付き面）３１に形成されている。
【００２８】
この構成のフランジ付きボルト１のヘッド２２が受座５の貫通孔５３に上側から挿入されて、ヘッド２２が受座５のドーム状部５２の内部に配置されている。この状態においては、フランジ３の下面における湾曲面３１がドーム状部５２の外周面における貫通孔５３の周縁部に接触して係止しつつ、ヘッド２２が貫通孔５３に遊嵌状態に挿通配置されており、フランジ付きボルト１が軸心回りに回動可能に、かつ図１に示す垂直姿勢と図２に示す傾斜姿勢との間で傾動可能に構成されている。
【００２９】
なお本実施形態において、図２に示すようにフランジ付きボルト１を傾斜させるに際して、フランジ付きボルト１の傾斜角度を、図１に示す垂直姿勢に対しおよそ１５°まで傾斜させることができるように構成されている。
【００３０】
図１、図２および図５に示すように抜け止め部材としてのカラー部材６は、上端が上壁６２によって閉塞され、かつ下端が開口された上端閉塞型の円筒形状（逆カップ形状）を有しており、上壁６２の中央に平面視円形の取付孔６３が形成されている。
【００３１】
さらにカラー部材６の上壁６２の外周縁部における周壁６１に対応する部分に断面直線状のＣ面の面取り部６４が形成されている。換言すると、上壁６２の外観形状は取付孔６３を頂上台部とする円錐台形状に形成されている。
【００３２】
この構成のカラー部材６が、受座５に設置されたフランジ付きボルト１の下端に固定される。すなわち受座５のドーム状部５２内に配置されたフランジ付きボルト１のヘッド２２にカラー部材６を外嵌する。逆に言うとフランジ付きボルト１のヘッド２２をカラー部材６の取付孔６３に上方から挿入する。そしてその状態でカシメ加工（塑性加工）を施して、カラー部材６の取付孔周縁部とフランジ付きボルト１のヘッド２２とを圧接して固定する。
【００３３】
本実施形態においては、カラー部材６をフランジ付きボルト１に固定した状態においては、カラー部材６における周壁６１の下端面がフランジ付きボルト１にけるヘッド２２の下端面に対し同一平面内に配置されるようにしている。
【００３４】
以上のように構成されたアジャストボルトは、そのフランジ付きボルト１の雄ねじ軸２１が、自動販売機、工作機器、ＯＡ機器等の設置物の底面に固定されたナット９に螺合された状態で、受座５の平坦接地部５１が設置面に接地されるように配置される。そしてアジャスターボルトのフランジ付きボルト１を軸心回りに回転操作することによって、雄ねじ軸２１に対しナット９を昇降させて設置物の高さ調整（水平レベル調整）を行うものである。
【００３５】
またアジャストボルトが設置される設置面に勾配が付いているような場合には、図２に示すようにフランジ付きボルト１を受座５に対し傾動させてフランジ付きボルト１を重力方向を基準に垂直に配置する。これにより上記と同様にフランジ付きボルト１を回転操作することによって、ナット９を雄ねじ軸２１に沿って垂直方向に正確に昇降させることができ、設置物の高さ調整を不具合なく行うことができる。
【００３６】
以上のように本実施形態のアジャストボルトによれば、抜け止め部材として、上壁６２に取付孔６３が形成された逆カップ状のカラー部材６を用い、そのカラー部材６をフランジ付きボルト１に対しに外嵌してカシメ加工により固定するようにしているため、構造が簡素である上さらに、カラー部材６をカシメ加工するだけで簡単かつ正確に固定することができる。このように本実施形態のアジャストボルトにおいては、構造の簡素化を図りつつ、簡単に効率良く製作できて、コストも削減することができる。
【００３７】
さらに本実施形態においては、フランジ付きボルト１におけるねじ溝が形成されないヘッド２２（無ねじ部）にカラー部材６をカシメ加工するようにしているため、カラー部材６をフランジ付きボルト１により強固に固定することができ、カラー部材６を十な強度で確実に取り付けることができる。
【００３８】
また本実施形態においては、受座５におけるドーム状部５２の外周面（凸球面）に接触して係止するフランジ３の下面（裏面）をＲ付きの湾曲面３１によって構成しているため、フランジ３をドーム状部５２の外周面に点接触よりも広い範囲で接触させることができ、フランジ付きボルト１を受座５に安定した状態でバランス良く支持することができる。このため例えば、フランジ付きボルト１の回転操作をスムーズに行うことができ、高さ調整作業を高精度で効率良く行うことができる。特にフランジ付きボルト１が受座５に対し傾斜しているような場合であっても、フランジ３をドーム状部５２の外周面に広い範囲で接触させることができ、上記と同様に、フランジ付きボルト１の回転操作をスムーズに行えて、高さ調整作業を高精度で効率良く行うことができる。
【００３９】
さらに本実施形態のアジャストボルトは、受座５のドーム状部５２を球面状（ドーム状）に形成しているため、フランジ付きボルト１に加わる設置物の荷重がフランジ３を介してドーム状部５２に加わった際に、その荷重をドーム状部５２の全域にわたって分散させて受け止めることができる。このため荷重（応力）が受座の一部に部分的に集中するようなことがなく、応力集中による有害な部分変形や破損を確実に防止でき、長期間安定した状態で使用することができる。
【００４０】
また本実施形態においては、カラー部材６における上壁６２の外周部に面取り部６４を形成しているため、フランジ付きボルト１が受座５に対し大きく傾斜させた状態であっても、カラー部材６の上壁６２の外周縁部や周壁６１の上端部がドーム状部５２の内周面に干渉するのを防止することができる。従ってフランジ付きボルト１の傾斜角度の許容範囲を十分に広く確保できて、設置面の勾配が大きい場合であっても確実に対応できて、汎用性を向上させることができる。
【００４１】
また本実施形態においては、ボルト軸２にフランジ３が一体に形成されたシルクボルトをフランジ付きボルト１として用いているため、ボルト軸２にフランジ３を固定するようなフランジ固定作業を必要とせずその分、フランジ付きボルト１、ひいてはアジャストボルトを効率良く簡単に製作することができる。
【００４２】
図６Ａはこの考案の変形例であるアジャストボルトを示す正面図、図６Ｂは平面図である。両図に示すようにこの変形例のアジャストボルトは、受座５における平坦接地部５１の側部が側方に延長されて延長接地部５５が形成されるとともに、その延長接地部５５にボルト留め孔５６が形成されている。
【００４３】
この変形例のアジャストボルトにおいて、他の構成は上記図１および図２等に示す実施形態のアジャストボルトと実質的に同様であるため、同一または相当部分に同一符号を付して重複説明は省略する。
【００４４】
この変形例のアジャストボルトにおいては、延長接地部５５のボルト留め孔５６を介してアンカーボルト（図示省略）をコンクリート床面等の設置面に固定することによって、受座５を設置面により一層強固に固定できるため、アジャストボルトを介して設置物を設置面により一層強固に安定した状態に設置固定することができる。
【００４５】
なお上記実施形態においては、カラー部材６に形成される面取り部６４を、断面直線状のＣ面タイプで形成しているが、それだけに限られず、本考案においては面取り部を、断面円弧状のＲ面タイプで形成するようにしても良い。もっとも加工性の観点から見れば、本実施形態のように加工が容易なＣ面の面取り部を採用するのが好ましい。
【産業上の利用可能性】
【００４６】
この考案のアジャストボルトは、例えば自動販売機、工作機器、ＯＡ機器等の設置物を設置面に支持するための設置物支持装置に適用することができる。
【符号の説明】
【００４７】
１：フランジ付きボルト（シルクボルト）
２：ボルト軸
３：フランジ
３１：湾曲面
５：受座
５２：ドーム状部
５３：貫通孔
６：カラー部材（抜け止め部材）
６２：上壁
６３：取付孔
６４：面取り部
【図１】
0003199636.tif 000003
【図２】
0003199636.tif 000004
【図３】
0003199636.tif 000005
【図４】
0003199636.tif 000006
【図５】
0003199636.tif 000007
【図６Ａ】
0003199636.tif 000008
【図６Ｂ】
0003199636.tif 000009